(57)【要約】【課題】遮光する範囲を任意に変更することができると共に、この遮光する範囲を維持することができる日除け具を提供する。【解決手段】遮光する遮光カーテン１を備える日除け具１０において、遮光カーテン１の開閉方向の少なくとも一側に、開閉方向の任意の位置における遮光カーテン１の開度を維持すべき維持手段である吸盤３，３を備えており、遮光カーテン１の一側を、案内手段２のロープ２１をガイドにして、ロープ２１の長手方向に移動させることにより、窓ガラスから入射する光を遮る遮光範囲を任意に変更することができると共に、吸盤３，３を窓に吸着させることにより、遮光カーテン１の移動を制限して、前記遮光範囲を維持することができる。【選択図】図１
2010120622.tif 000002
【特許請求の範囲】
【請求項１】
遮光カーテンを備える日除け具において、前記遮光カーテンの開閉方向の少なくとも一側に、開閉方向の任意の位置における前記遮光カーテンの開度を維持すべき維持手段を備えることを特徴とする日除け具。
【請求項２】
前記維持手段は、前記日除け具が取付けられるべき窓に吸着して前記遮光カーテンの移動を制限する吸着層をその一面に有する吸着テープであることを特徴とする請求項１に記載の日除け具。
【請求項３】
前記吸着テープはエラストマーを含んでなることを特徴とする請求項２に記載の日除け具。
【請求項４】
前記遮光カーテンの開閉を案内する案内手段を備え、前記維持手段は、前記案内手段に離隔して設けられ、前記日除け具が取付けられるべき窓に吸着して前記遮光カーテンの移動を制限する吸盤であることを特徴とする請求項１に記載の日除け具。
【請求項５】
前記遮光カーテンの開閉方向に略直交する方向の一側には、複数のガイド穴が設けてあり、前記案内手段は、前記ガイド穴に挿通され、前記遮光カーテンの開閉を案内するロープと、該ロープの両端部に設けられ、前記窓に吸着して前記ロープを保持する吸盤とを備えてなることを特徴とする請求項４に記載の日除け具。
【請求項６】
前記遮光カーテンには、該遮光カーテンの開閉方向に略直交する方向のプリーツが形成してあることを特徴とする請求項１から５の何れか一つに記載の日除け具。
【発明の詳細な説明】
【技術分野】
【０００１】
本発明は、窓に着脱可能に取付けて日除けを行うことができる日除け具に関する。
【背景技術】
【０００２】
日射しが強い季節においては特に、窓ガラスを透過して車室等の内部に入射する光が眩しく、また入射光により温度が上昇して暑くなり人に不快感を与える。また、この季節の光は紫外線を多く含むため、美容、健康の観点からも好ましくない。このため、従来、車室の内部への光の入射を抑制すべく、窓ガラスの内側に着脱可能に取付けて遮光する日除け具が種々提案されている（例えば、特許文献１参照）。
【０００３】
特許文献１に開示された日除け具は、枠体の内側に遮光する遮光用布が張設されてなる日除け具本体と、該日除け具本体に設けられた吸盤とを備えており、吸盤を車両等の窓ガラスに止着することにより窓ガラスに着脱可能に取付けるように構成してある。この日除け具においては、吸盤を窓ガラスに吸着させることにより、日除け具を容易に窓ガラスに装着することができる一方、吸盤の頭部に設けられた掴みリングを引っ張ることにより吸盤を窓ガラスから離脱させ、日除け具を容易に窓ガラスから取外すことができる。
【先行技術文献】
【特許文献】
【０００４】
【特許文献１】実開平５−２６５４９号公報
【発明の概要】
【発明が解決しようとする課題】
【０００５】
しかしながら、特許文献１に係る日除け具においては、遮光する範囲が枠体に張設された日除け具本体の寸法に限定されるため、使用者が、好み又は天候に応じて自由に変更することができないという問題があった。
【０００６】
本発明は斯かる事情に鑑みてなされたものであり、主たる目的は、遮光カーテンと、遮光カーテンの開閉方向の少なくとも一側に、開閉方向の任意の位置における遮光カーテンの開度を維持すべき維持手段とを備えることにより、遮光範囲を任意に変更することができると共に、該遮光範囲を維持することができる日除け具を提供することにある。
【０００７】
また他の目的は、維持手段として吸着テープを設けることにより、遮光カーテンの開度の維持を容易に保持／解除することができる日除け具を提供することにある。
【０００８】
また他の目的は、エラストマーを含んでなる吸着テープを維持手段として設けることにより、遮光カーテンの開度の維持を容易に保持／解除することができる日除け具を提供することにある。
【０００９】
また他の目的は、維持手段として吸盤を設けることにより、遮光カーテンの開度の維持を容易に保持／解除することができる日除け具を提供することにある。
【００１０】
また他の目的は、遮光カーテンの開閉方向に略直交する方向の一側に設けられた複数のガイド穴に挿通されたロープと、該ロープの両端部に設けた吸盤とから案内手段を構成することにより、取付け／取外しを容易に行うことができる日除け具を提供することにある。
【００１１】
また他の目的は、遮光カーテンにプリーツを形成することにより、開状態にしたときに細長い短冊状部分を重ね合せて遮光カーテンをコンパクトに纏めることができる日除け具を提供することにある。
【課題を解決するための手段】
【００１２】
本発明に係る日除け具は、遮光カーテンを備える日除け具において、前記遮光カーテンの開閉方向の少なくとも一側に、開閉方向の任意の位置における前記遮光カーテンの開度を維持すべき維持手段を備えることを特徴とする。
【００１３】
この発明にあっては、維持手段により開閉方向の任意の位置における遮光カーテンの開度を維持できるようにしてあり、遮光カーテンの開閉方向の一側を移動させて所望の遮光範囲にした後に、遮光カーテンの開度を維持手段により維持しているから、遮光範囲を任意に変更することができると共に、該遮光範囲を維持することができる。
【００１４】
本発明に係る日除け具は、前記維持手段は、前記日除け具が取付けられるべき窓に吸着して前記遮光カーテンの移動を制限する吸着層をその一面に有する吸着テープであることを特徴とする。
【００１５】
この発明にあっては、吸着層をその一面に有する吸着テープを維持手段として設けており、該吸着テープの吸着層を窓に吸着させる又は窓から離脱させることにより、遮光カーテンの開度の維持を容易に保持／解除することができると共に、日除け具の取付け／取外しを容易に行うことができる。
【００１６】
本発明に係る日除け具は、前記吸着テープはエラストマーを含んでなることを特徴とする。
【００１７】
この発明にあっては、エラストマーを含んでなる吸着テープを維持手段として設けており、該吸着テープの吸着層を窓に吸着させる又は窓から離脱させることにより、遮光カーテンの開度の維持を容易に保持／解除することができると共に、日除け具の取付け／取外しを容易に行うことができる。エラストマーを含んでなる吸着テープは弾性を有しているから、窓の形状に沿って変形させることができ、窓が曲面形状を有していても取付けることができる。また、透明なエラストマーを用いることにより、例えば、窓ガラスに吸着させたときに目立たなくすることができ、美観に資する。
【００１８】
本発明に係る日除け具は、前記遮光カーテンの開閉を案内する案内手段を備え、前記維持手段は、前記案内手段に離隔して設けられ、前記日除け具が取付けられるべき窓に吸着して前記遮光カーテンの移動を制限する吸盤であることを特徴とする。
【００１９】
この発明にあっては、遮光カーテンの開閉を案内する案内手段と、該案内手段に離隔して維持手段としての吸盤を設けており、該吸盤を窓に吸着させる又は窓から離脱させることにより、遮光カーテンの開度の維持を容易に保持／解除することができる。また、所望の遮光範囲にすべく遮光カーテンの一側を移動させるときに、案内手段をガイドにすることにより遮光カーテンの移動が容易になる。
【００２０】
本発明に係る日除け具は、前記遮光カーテンの開閉方向に略直交する方向の一側には、複数のガイド穴が設けてあり、前記案内手段は、前記ガイド穴に挿通され、前記遮光カーテンの開閉を案内するロープと、該ロープの両端部に設けられ、前記窓に吸着して前記ロープを保持する吸盤とを備えてなることを特徴とする。
【００２１】
この発明にあっては、遮光カーテンの開閉方向に略直交する方向の一側に設けたガイド穴に挿通されたロープと、該ロープの両端部に設けた吸盤とにより案内手段を構成しており、吸盤を窓に吸着させる又は窓から離脱させることにより、日除け具の取付け／取外しを容易に行うことができる。また、ロープは、窓の形状に沿って変形させることができるから、窓が曲面形状を有していても取付けることができる。
【００２２】
本発明に係る日除け具は、前記遮光カーテンには、該遮光カーテンの開閉方向に略直交する方向のプリーツが形成してあることを特徴とする。
【００２３】
この発明にあっては、遮光カーテンに該遮光カーテンの開閉方向に略直交する方向のプリーツを形成してあるから、開状態にしたときに細長い短冊状部分を重ね合せて遮光カーテンをコンパクトに纏めることができる。
【発明の効果】
【００２４】
本発明によれば、遮光カーテンの開閉方向の一側を移動させて所望の遮光範囲にした後に、遮光カーテンの開度を維持手段により維持しているから、遮光範囲を任意に変更することができると共に、該遮光範囲を維持することができる。
【００２５】
また、本発明によれば、維持手段である吸着テープを窓に吸着させる又は窓から離脱させることにより、遮光カーテンの開度の維持を容易に保持／解除することができると共に、日除け具の取付け／取外しを容易に行うことができる。
【００２６】
また、本発明によれば、エラストマーを含んでなる吸着テープを窓に吸着させる又は窓から離脱させることにより、遮光カーテンの開度の維持を容易に保持／解除することができると共に、日除け具の取付け／取外しを容易に行うことができる。エラストマーを含んでなる吸着テープは弾性を有しているから、窓の形状に沿って変形させることができ、窓が曲面形状を有していても取付けることができる。また、透明なエラストマーを用いることにより、例えば、窓ガラスに吸着させたときに目立たなくすることができ、美観に資する。
【００２７】
また、本発明によれば、維持手段である吸盤を窓に吸着させる又は窓から離脱させることにより、遮光カーテンの開度の維持を容易に保持／解除することができる。
【００２８】
また、本発明によれば、案内手段の吸盤を窓に吸着させる又は窓から離脱させることにより、日除け具の取付け／取外しを容易に行うことができる。また、ロープは、窓の形状に沿って変形させることができるから、窓が曲面形状を有していても取付けることができる。
【００２９】
また、本発明によれば、開状態にしたときに細長い短冊状部分を重ね合せて遮光カーテンをコンパクトに纏めることができる。
【図面の簡単な説明】
【００３０】
【図１】本発明の実施の形態１に係る日除け具の模式的外観図である。
【図２】図１のII−II線による断面図である。
【図３】図１の III−III 線による断面図である。
【図４】実施の形態１に係る日除け具の一使用例を示した図である。
【図５】遮光カーテンが開状態にある日除け具を示す図である。
【図６】本発明の実施の形態２に係る日除け具の模式的外観図である。
【図７】本発明の実施の形態３に係る日除け具の模式的外観図である。
【図８】図７のVIII−VIII線による断面図である。
【図９】吸着テープが設けられた部分における日除け具の模式的部分断面図である。
【発明を実施するための形態】
【００３１】
以下、本発明をその実施の形態を示す図面に基づいて詳述する。
（実施の形態１）
図１は、本発明の実施の形態１に係る日除け具１０の模式的外観図である。
【００３２】
図中１は、極細の合成繊維の糸が織り込まれてなる網目状の薄い合成繊維製の布を矩形状に形成してなる遮光カーテンである。遮光カーテン１には、対向する２辺に平行をなして、プリーツが形成してある。この遮光カーテン１には、折りたたんだ状態にて一端部に貫通孔を形成することにより、複数のガイド穴１ａ，１ａ…が設けてある。なお、遮光カーテン１は、入射した光を乱反射させることなく十分に遮光させるとともに汚れが目立たないように黒く着色されている。
【００３３】
この遮光カーテン１の一端部に形成したガイド穴１ａ，１ａ…には、案内手段２が設けてある。案内手段２は、ガイド穴１ａ，１ａ…に挿通され、遮光カーテン１の開閉を案内するロープ２１と、該ロープ２１の両端部に設けられた吸盤２２，２２とを備えている。図２は、図１のII−II線による断面図である。吸盤２２は、椀形を有する吸盤部２２ａと、該吸盤部２２ａの凸面の側に設けられた円柱状の取付部２２ｂとを備えている。吸盤部２２ａは、日除け具に取付けられるべき窓ガラスに、凹面の側を押し付けることにより該窓ガラスに吸着する機能を有している。取付部２２ｂには、該取付部２２ｂの軸心に直交する方向に貫通孔２２ｃが設けてある。また、吸盤部２２ａの凸面の適宜の位置には突起２２ｄが設けてある。
【００３４】
この案内手段２は、ロープ２１を遮光カーテン１のガイド穴１ａ，１ａ…に挿通させるとともに、ロープ２１の両端部を吸盤２２，２２の取付部２２ｂ，２２ｂの貫通孔２２ｃ，２２ｃに夫々挿通させて端部を結ぶことによりロープ２１が吸盤２２，２２から抜けないようにして、遮光カーテン１に一体化してある。そして案内手段２の吸盤２２，２２を窓ガラスに吸着させることにより、日除け具１０が窓ガラスに取付けられる。
【００３５】
遮光カーテン１の開閉方向の両側には、案内手段２と離隔して維持手段である吸盤３，３が設けてある。図３は、図１の III−III 線による断面図である。吸盤３は、椀形を有する吸盤部３１と、該吸盤部３１の凸面の側に設けられた係止部３２とを一体的に備えている。吸盤部３１は、日除け具が取付けられるべき窓ガラスに、凹面の側を押し付けることにより該窓ガラスに吸着する機能を有している。係止部３２は、円筒部の一端に鍔部を周設してなり、図３に示すように、縦断面形状がＴ字状である。なお、吸盤部３１の凸面の適宜の位置には突起３３が設けてある。
【００３６】
一方、遮光カーテン１の開閉方向の両側には、吸盤３，３の係止部３２，３２の鍔部よりも小さい係合穴１ｂ，１ｂが夫々設けてある。なお、係合穴１ｂ，１ｂは、図１に示すように、遮光カーテン１の開閉方向の両端部の上下方向の略中央に、互いの上下方向の位置を異ならせて設けてある。維持手段である吸盤３，３は、図３に示すように、該吸盤３，３の係止部３２，３２と遮光カーテン１の係合穴１ｂ，１ｂとを係合させることにより、遮光カーテンに一体化してある。この吸盤３，３を窓ガラスに吸着させることにより、開閉方向の任意の位置における遮光カーテン１の開度が維持されることになる。
【００３７】
以上のように構成された日除け具１０は、例えば、車室の内部への光の入射を抑制すべく、車両の窓に使用される。図４は、実施の形態１に係る日除け具１０の一使用例を示した図である。日除け具１０は、案内手段２の吸盤２２，２２と維持手段である吸盤３，３とを車両の窓ガラス５の適宜の位置に内側から夫々吸着させることにより、図４に示すように遮光カーテン１の閉状態を維持した状態にて取付けてある。これにより、窓ガラス５から入射される光は、遮光カーテン１により遮られて、車室の内部への光の入射が抑制される。
【００３８】
遮光カーテン１を、図４に示す閉状態から開状態にする手順について述べる。図５は、遮光カーテン１が開状態にある日除け具１０を示す図である。遮光カーテン１を図５に示すような開状態にする場合、まず維持手段である吸盤３，３の一方（図において右側の吸盤３）を、突起３３を引っ張ることにより窓ガラス５から離脱させて、遮光カーテン１の閉状態の維持を解除する。次に、ロープ２１をガイドにして、一方の側（図において左側）に、遮光カーテン１の一側（図において右側）を図５に示す位置まで移動させて開状態にした後、吸盤３を窓ガラス５に吸着させることにより、遮光カーテン１を動かないようにして開状態を維持する。なお、図５に示す遮光カーテン１の開状態は例示であり、維持手段の吸盤３，３を適切な位置にて窓ガラスに吸着させることにより、遮光カーテン１を開閉方向の所望の位置にて所望の開度にすることができる。
【００３９】
以上のように、実施の形態１に係る日除け具は、遮光カーテン１の一側を、案内手段２のロープ２１をガイドにして、ロープ２１の長手方向に移動させることにより、窓ガラス５から入射する光を遮る遮光範囲を任意に変更することができると共に、維持手段の吸盤３，３を窓ガラス５に吸着させることにより、遮光カーテン１の移動を制限して、開閉方向の任意の位置における遮光カーテン１の開度を維持することができ、前記遮光範囲を維持することができる。また、維持手段として吸盤３，３を、案内手段２の保持用として吸盤２２，２２を用いているから、吸盤３，３、２２，２２を窓ガラス５に吸着させる又は窓ガラス５から離脱させることにより、開閉方向の任意の位置における遮光カーテン１の開度の維持を容易に保持／解除することができると共に、日除け具１０の取付け／取外しを容易に行うことができる。また、案内手段２にロープ２１を用いているから、窓ガラス５の形状に沿って変形させることができ、窓ガラス５が曲面形状を有していても取付けることができる。さらに、遮光カーテン１には、対向する２辺に平行をなして、プリーツが形成してあるから、開状態にしたときに細長い短冊状部分を重ね合せて遮光カーテン１をコンパクトに纏めることができる。
【００４０】
（実施の形態２）
図６は、本発明の実施の形態２に係る日除け具２０の模式的外観図である。遮光カーテン１の一端部に形成したガイド穴１ａ，１ａ…には、案内手段４が設けてある。案内手段４は、ガイド穴１ａ，１ａ…に挿通され、遮光カーテン１の開閉を案内するロープ４１と、該ロープ４１の両端部に設けられた吸盤４２，４２とを備えている。吸盤４２は、椀形を有する吸盤部４２ａと、該吸盤部４２ａの凸面の側に設けられた円柱状の取付部４２ｂと、該取付部４２ｂに設けられた貫通孔（図示せず）に挿通させて取付部４２ｂに固定されたフック部４２ｃとを備えている。また、吸盤部４２ａの凸面の適宜の位置には突起４２ｄが設けてある。
【００４１】
この案内手段４は、ロープ４１を遮光カーテン１のガイド穴１ａ，１ａ…に挿通させるとともに、ロープ４１の両端部を吸盤４２，４２のフック部４２ｃ，４２ｃに夫々引っ掛けることにより、遮光カーテン１を保持するようにしてある。その他の構成及び動作は、図１に示す実施の形態１と同様であるため、対応する構成部材に図１と同一の参照符号を付して、その構成及び動作の詳細な説明を省略する。
【００４２】
以上のように構成された実施の形態２に係る日除け具２０は、遮光カーテン１の一側を、案内手段４のロープ４１をガイドにして、ロープ４１の長手方向に移動させることにより、窓ガラスから入射する光を遮る遮光範囲を任意に変更することができると共に、維持手段の吸盤３，３を窓ガラスに吸着させることにより、開閉方向の任意の位置における遮光カーテン１の開度を維持することができ、前記遮光範囲を維持することができる。また、維持手段として吸盤３，３を、案内手段４の保持用として吸盤４２，４２を用いているから、吸盤３，３、４２，４２を窓ガラスに吸着させる又は窓ガラスから離脱させることにより、開閉方向の任意の位置における遮光カーテン１の開度の維持を容易に保持／解除することができると共に、日除け具２０の取付け／取外しを容易に行うことができる。さらに、案内手段４にロープ４１を用いているから、窓ガラスの形状に沿って変形させることができ、窓ガラスが曲面形状を有していても取付けることができる。さらに、遮光カーテン１には、対向する２辺に平行をなして、プリーツが形成してあるから、開状態にしたときに細長い短冊状部分を重ね合せて遮光カーテン１をコンパクトに纏めることができる。
【００４３】
なお、実施の形態１及び２において、維持手段である吸盤３，３は、遮光カーテン１の開閉方向の両端部の上下方向の略中央に、互いの上下方向の位置を異ならせて取付けてあるが、これに限定されない。吸盤は、案内手段２と離隔して設けてあればよく、また互いの上下方向の位置を一致させるように取付けてもよい。また、吸盤は、遮光カーテン１の開閉方向の少なくとも一側に設けてあればよい。
【００４４】
（実施の形態３）
図７は、本発明の実施の形態３に係る日除け具３０の模式的外観図であり、図８は、図７のVIII−VIII線による断面図である。遮光カーテン１の開閉方向の両側には、維持手段としての吸着テープ６，６…が設けてある。遮光カーテン１は、実施の形態１及び２と同様であるため、詳細な説明を省略する。なお、実施の形態３に係る遮光カーテン１には、ガイド穴、係合穴を設けていない。
【００４５】
吸着テープ６は、不織布によって形成されている。不織布の加工は、ポリエステル等の熱可塑性繊維を集合してなる薄肉のシート状のウェブをニードルパンチ加工によりフェルト状とすることによりなされる。
【００４６】
このように形成された不織布の一面、換言すれば不織布を用いてなる吸着テープ６の一面には、吸着性を有する吸着層６１が略均一な厚みにて塗布形成してある。
【００４７】
吸着層６１には、吸着性を有するアクリル酸エステル共重合体及び熱可塑性繊維とよく相溶するメチルメタアクリレートブタジエン共重合体のエマルジョンに充填材を配合してなる合成樹脂材料が用いてある。吸着層６１は、この合成樹脂材料の溶液を泡立たせた泡状溶液を吸着テープ６の一面に塗布したのち、冷却して複数の微小気泡を有する状態にて硬化することにより形成される。このように形成された吸着層６１は、窓ガラス等の平面に押し付けられることにより吸着する機能を有している。なお、不織布の一面に塗布された溶液の一部は不織布に浸透しており、不織布と吸着層６１とが強く結合されることになる。
【００４８】
一方、不織布の他面、換言すれば不織布を用いてなる吸着テープ６の他面には、粘着性を有する粘着層６２が塗布形成してある。粘着層６２として、例えば、接着剤、両面テープ等が用いられる。
【００４９】
この吸着テープ６は、遮光カーテン１の開閉方向の両側の適宜の位置に、図８に示すように、粘着層６２の側にて粘着させて取付けてある。このように構成された日除け具３０は、遮光カーテン１の開閉方向が上下方向に一致するように、吸着テープ６の吸着層６１を車両等の窓ガラス５（図８中に二点鎖線にて示す）に吸着させることにより、窓ガラス５に取付けられる。
【００５０】
以上のように構成された実施の形態３に係る日除け具３０は、遮光カーテン１の一側に取付けられた吸着テープ６，６の吸着層６１を窓ガラス５から離脱させて、遮光カーテン１の一側を開閉方向の所望の位置まで移動させることにより、窓ガラス５から入射する光を遮る遮光範囲を任意に変更することができると共に、吸着テープ６，６の吸着層６１を窓ガラス５に吸着させることにより、遮光カーテン１の移動を制限して、開閉方向の任意の位置における遮光カーテン１の開度を維持することができ、前記遮光範囲を維持することができる。吸着テープ６，６…の吸着層６１を窓ガラス５に吸着させる又は窓ガラス５から離脱させることにより、開閉方向の任意の位置における遮光カーテン１の開度の維持を容易に保持／解除することができると共に、日除け具３０の取付け／取外しを容易に行うことができる。また、日除け具３０は、窓ガラス５の形状に沿って変形させることができ、窓ガラス５が曲面形状を有していても取付けることができる。さらに、遮光カーテン１には、対向する２辺に平行をなして、プリーツが形成してあるから、開状態にしたときに細長い短冊状部分を重ね合せて遮光カーテン１をコンパクトに纏めることができる。
【００５１】
（実施の形態４）
実施の形態３においては、不織布によって形成されている吸着テープ６を維持手段として用いている例について述べたが、実施の形態４においては、エラストマーによって形成されている吸着テープを維持手段として用いている。遮光カーテン１の開閉方向の両側には、図７に示す実施の形態３と同様に、維持手段としての吸着テープが設けてある。図９は、吸着テープ６ａが設けられた部分における日除け具４０の模式的部分断面図である。遮光カーテン１は、実施の形態３と同様であるため、詳細な説明を省略する。
【００５２】
実施の形態４に係る吸着テープ６ａは、エラストマーを用いて薄膜状に成形してなるエラストマーフィルムであり、無色透明である。エラストマーは、熱可塑性の弾性力を有する樹脂であり、例えば、エラストマーを構成するポリマーが、ポリスチレン、ポリプロピレン等のオレフィン系、ポリスチレンのスチレン系等である柔軟性を有する熱可塑性エラストマーである。エラストマーフィルムの加工は、例えば、エラストマーを溶媒に溶解し、この溶液中に充填剤、可塑剤等の粒子を分散させた後、金型に注入して、冷却して固化することによりフィルムを形成させる方法、予めエラストマーと前記粒子とを溶融混練後、造粒してペレット化したマスターバッチを作成しておき、そのマスターバッチを溶融押出ししてフィルムを形成させる方法等のそれ自体公知の方法によりなされる。
【００５３】
このように形成されたエラストマーフィルムを用いてなる吸着テープ６ａは、吸着面６１ａを一面に有している。本実施の形態において用いられるエラストマーは自己粘着性を有しており、吸着面６１ａを含む薄層が実施の形態３の吸着層と同様に機能する。なお、自己粘着性とは、窓等の被着面への貼り付けが、他の粘着剤を使用しなくとも、また、更なる圧力や熱をかけることなしに、また、画びょう、ビスなどの機械的手段を使用しなくとも行うことができるフィルムの性質を意味する。
【００５４】
吸着テープ６ａの他面には、遮光カーテン１に吸着テープ６ａを固着させるべく、粘着性を有する粘着層６２が塗布形成してある。粘着層６２として、例えば、接着剤、両面テープ等が用いられる。
【００５５】
この吸着テープ６ａは、遮光カーテン１の開閉方向の両側の適宜の位置に、図９に示すように、粘着層６２の側にて粘着させて取付けてある。このように構成された日除け具４０は、遮光カーテン１の開閉方向が上下方向に一致するように、吸着テープ６ａの吸着面６１ａを車両等の窓ガラス５（図９中に二点鎖線にて示す）に吸着させることにより、窓ガラス５に取付けられる。
【００５６】
以上のように構成された実施の形態４に係る日除け具４０は、遮光カーテン１の一側に取付けられた吸着テープ６ａ，６ａの吸着面６１ａを窓ガラス５から離脱させて、遮光カーテン１の一側を開閉方向の所望の位置まで移動させることにより、窓ガラス５から入射する光を遮る遮光範囲を任意に変更することができると共に、吸着テープ６ａ，６ａの吸着面６１ａを窓ガラス５に吸着させることにより、遮光カーテン１の移動を制限して、開閉方向の任意の位置における遮光カーテン１の開度を維持することができ、前記遮光範囲を維持することができる。吸着テープ６ａ，６ａの吸着面６１ａを窓ガラス５に吸着させる又は窓ガラス５から離脱させることにより、開閉方向の任意の位置における遮光カーテン１の開度の維持を容易に保持／解除することができると共に、日除け具４０の取付け／取外しを容易に行うことができる。本実施の形態の吸着テープ６ａは弾性及び柔軟性を有しているから、日除け具４０は、窓ガラス５の形状に沿って変形させることができ、窓ガラス５が曲面形状を有していても取付けることができる。
【００５７】
また、透明なエラストマーを用いているから、例えば、窓ガラスに吸着させたときに吸着テープ６ａを目立たなくすることができ、美観に資する。
【００５８】
また、遮光カーテン１には、対向する２辺に平行をなして、プリーツが形成してあるから、開状態にしたときに細長い短冊状部分を重ね合せて遮光カーテン１をコンパクトに纏めることができる。
【００５９】
なお、実施の形態４に係る日除け具４０は、エラストマーフィルムのみにより吸着テープ６ａを形成しているが、これに限定されず、ＰＥＴ（ポリエチレンテレフタレート）等からなる基材層とエラストマーからなる吸着層とを積層してなるフィルムにより吸着テープを形成してもよい。この場合、フィルムの基材層の側の面に粘着層が塗布形成されることになる。
【００６０】
また、本実施の形態においては、無色透明のエラストマーを用いているが、これに限定されず、用いられる場所又は用途に応じて、有色透明又は不透明であってもよい。
【００６１】
なお、実施の形態３及び４に係る日除け具は、遮光カーテン１の開閉方向の両側に吸着テープが取付けてあるが、これに限定されない。遮光カーテン１の開閉方向の一側に吸着テープが予め取付けてあり、他の吸着テープは使用者の好みに応じて適宜取付け可能なように日除け具を構成する方がより望ましい。又は、遮光カーテン１に吸着テープを予め取付けずに、使用者の好みに応じて適宜取付け可能なようにしてもよい。また、吸着テープを遮光カーテン１の短冊状部分の両側に夫々取付けているが、これに限定されず、例えば、遮光カーテン１の短冊状部分の長手方向の略全長に亘って一つの吸着テープを取付けるようにしてもよい。
【００６２】
また、実施の形態３及び４に係る日除け具は、開閉方向が上下方向に一致するように取付けてあるが、これに限定されないのは、言うまでもない。
【００６３】
なお、以上の実施の形態に係る日除け具は、窓ガラス５に取付けて用いられる場合を例に説明したが、窓ガラス５に限定されず、窓枠を含む窓の適宜の場所に取付けて用いることができる。
【００６４】
また、以上の実施の形態に係る日除け具の遮光カーテン１は、図２に示す如く、網目状の布を用いているが、この遮光カーテン１の目の細かさは、使用場所等に応じて予め適切に設定してある。例えば、家の部屋、車両の後部座席の窓に用いる場合は、目が細い遮光カーテン１を用いることにより、紫外線を含む光の遮蔽率を高くすることができる。この場合においても、網目状の布を用いているから外部を視認することは可能である。また、例えば、車両の前部座席の窓に用いる場合は、目が比較的粗い遮光カーテン１を用いることにより、車両の外部を視認することが容易となり、安全性を確保しつつ、紫外線を含む光を遮って使用者の不快感を軽減することとができる。
【００６５】
また、以上の実施の形態に係る日除け具の遮光カーテン１は、図５に示すように、開状態にしたときに細長い短冊状部分を重ね合せてコンパクトにすべく、一枚の布にプリーツ加工を施して蛇腹状にしているが、これに限定されず、細長い短冊状の布を縫製により一体化することにより蛇腹状にしてもよい。
【００６６】
また、以上の実施の形態において、維持手段又は案内手段の保持用として吸盤又は吸着シートを用いているが、これらに限定されず、窓に着脱可能な構成であればよい。
【００６７】
さらに、本発明は、特許請求の範囲に記載した事項の範囲内において種々変更した形態にて実施することが可能であることは言うまでもない。
【符号の説明】
【００６８】
１  遮光カーテン
２，４  案内手段
２１，４１  ロープ
２２，４２  吸盤
３  吸盤（維持手段）
５  窓ガラス（窓）
６，６ａ  吸着テープ（維持手段）
６１  吸着層
６１ａ  吸着面（吸着層）
【図１】
2010120622.tif 000003
【図２】
2010120622.tif 000004
【図３】
2010120622.tif 000005
【図４】
2010120622.tif 000006
【図５】
2010120622.tif 000007
【図６】
2010120622.tif 000008
【図７】
2010120622.tif 000009
【図８】
2010120622.tif 000010
【図９】
2010120622.tif 000011